(57)【特許請求の範囲】
【請求項１】
後工程で支持部材に貼設される記録媒体に対して相対移動する吐出ヘッドにより液滴を吐出して有色領域に有色部を形成する印刷方法であって、
前記記録媒体との同一の相対移動時に、前記有色領域に有色部形成材料を含み活性光線で硬化する第１液体の液滴を吐出するとともに、前記有色領域外に位置する非有色領域に非有色部形成材料を含み前記活性光線で硬化する第２液体の液滴を吐出して、前記有色部と面一の表面を有する非有色部を形成する工程を含み、
予め設定されている前記有色部のラスターデータを用いて、前記非有色部を形成する位置及び前記第２液体の量を決定することを特徴とする印刷方法。
【請求項２】
請求項１記載の印刷方法において、
前記有色領域に前記第１液体の液滴を吐出した後に、前記非有色領域に前記第２液体の液滴を吐出することを特徴とする印刷方法。
【請求項３】
請求項１記載の印刷方法において、
前記非有色領域に前記第２液体の液滴を吐出した後に、前記有色領域に前記第１液体の液滴を吐出することを特徴とする印刷方法。
【請求項４】
請求項１から３のいずれか一項に記載の印刷方法において、
前記吐出ヘッドの前記相対移動方向の両側に、前記活性光線を照射する照射部を設けることを特徴とする印刷方法。
【請求項５】
請求項１から４のいずれか一項に記載の印刷方法において、
前記有色部及び前記非有色部を前記記録媒体の厚さよりも薄く形成することを特徴とする印刷方法。
【請求項６】
請求項１から５のいずれか一項に記載の印刷方法において、
前記吐出ヘッドにおける、前記第２液体の液滴を吐出するノズルの数は、前記第１液体の液滴を吐出するノズルの数以上であることを特徴とする印刷方法。
【請求項７】
請求項１から６のいずれか一項に記載の印刷方法において、
前記非有色部を形成するための前記第２液体の吐出に関する情報を、前記有色部を形成するための前記第１液体の吐出に関する情報に基づいて形成することを特徴とする印刷方法。
【請求項８】
請求項１から７のいずれか一項に記載の印刷方法において、
前記第２液体における顔料の濃度は、１％以下であることを特徴とする印刷方法。
【請求項９】
請求項１から８のいずれか一項に記載の印刷方法において、
前記第２液体における顔料の粒径は、１００ｎｍ以下であることを特徴とする印刷方法。
【請求項１０】
請求項１から９のいずれか一項に記載の印刷方法において、
前記第２液体の色は、前記支持部材の色に対して、色差ΔＥ＝２０以下であることを特徴とする印刷方法。
【請求項１１】
後工程で支持部材に貼設される記録媒体に対して相対移動する吐出ヘッドにより液滴を吐出して有色領域に有色部を形成する印刷装置であって、
前記記録媒体との同一の相対移動時に、前記吐出ヘッドから前記有色領域に有色部形成材料を含み活性光線で硬化する第１液体の液滴を吐出させるとともに、前記有色領域外に位置する非有色領域に非有色部形成材料を含み前記活性光線で硬化する第２液体の液滴を吐出させて、前記有色部と面一の表面を有する非有色部を形成する制御部を備え、
前記制御部は、予め設定されている前記有色部のラスターデータを用いて、前記非有色部を形成する位置及び前記第２液体の量を決定することを特徴とする印刷装置。
【請求項１２】
請求項１１記載の印刷装置において、
前記制御部は、前記有色領域に前記第１液体の液滴を吐出させた後に、前記非有色領域に前記第２液体の液滴を吐出させることを特徴とする印刷装置。
【請求項１３】
請求項１１記載の印刷装置において、
前記制御部は、前記非有色領域に前記第２液体の液滴を吐出させた後に、前記有色領域に前記第１液体の液滴を吐出させることを特徴とする印刷装置。
【請求項１４】
請求項１１から１３のいずれか一項に記載の印刷装置において、
前記吐出ヘッドの前記相対移動方向の両側に、前記活性光線を照射する照射部が設けられることを特徴とする印刷装置。
【請求項１５】
請求項１１から１４のいずれか一項に記載の印刷装置において、
前記制御部は、前記有色部及び前記非有色部を前記記録媒体の厚さよりも薄く形成させることを特徴とする印刷装置。
【請求項１６】
請求項１１から１５のいずれか一項に記載の印刷装置において、
前記吐出ヘッドには、前記第２液体の液滴を吐出するノズルが、前記第１液体の液滴を吐出するノズルの数以上の数で設けられることを特徴とする印刷装置。
【請求項１７】
請求項１１から１６のいずれか一項に記載の印刷装置において、
前記制御部は、前記非有色部を形成するための前記第２液体の吐出に関する情報を、前記有色部を形成するための前記第１液体の吐出に関する情報に基づいて形成することを特徴とする印刷装置。
【請求項１８】
記録媒体に活性光線で硬化する液滴を吐出して有色部を形成する印刷工程と、前記有色部が形成された前記記録媒体を支持部材に貼り付けて成形する成形工程とを備える成形印刷物製造方法であって、
前記印刷工程では、請求項１から１０のいずれか一項に記載の印刷方法を用いることを特徴とする成形印刷物製造方法。
【請求項１９】
記録媒体に活性光線で硬化する液滴を吐出して有色部を形成する印刷装置と、前記有色部が形成された前記記録媒体を支持部材に貼り付けて成形する成形装置とを備える成形印刷物製造装置であって、
前記印刷装置として、請求項１１から１７のいずれか一項に記載の印刷装置が用いられることを特徴とする成形印刷物製造装置。
【発明の詳細な説明】
【技術分野】
【０００１】
本発明は、印刷方法、印刷装置及び成形印刷物製造方法並びに成形印刷物製造装置に関するものである。
【背景技術】
【０００２】
従来、様々な記録媒体に対して印刷可能な印刷装置として、インクジェット記録装置が知られている。インクジェット記録装置は、液滴吐出ヘッドと記録媒体とを相対移動させながら、液滴吐出ヘッドの記録媒体に対向する面に設けられた吐出口（以下、ノズル）から色材であるインク（液滴）を直接記録媒体に対して吐出して、記録媒体上に着弾させることで記録媒体上に画像を印刷する記録装置であり、工程の単純さ、印刷時における静粛性及び印字、印画品質の点で非常に優れた特徴がある。
【０００３】
また、近年では、上記の印刷装置を用いて、樹脂や金属等のインク吸収性を有さない種々の材料を記録媒体として画像記録を行う場合があり、このような記録媒体に対してインクを定着させるために、光硬化型インクが用いられていることがある。この種の光硬化型インクは、紫外線などの放射線の照射によりインク成分の大部分が硬化するため、溶剤系インクと比べて乾燥性にすぐれ、また、画像がにじみにくいことから、種々の基材に印字できる点で優れた方式である。
【０００４】
一方、上記の印刷装置を用いて印刷したフィルム等の樹脂シートに対して、真空成形等によって絞り加工を施し、所望の形状に成形した後に、射出成形機によってプラスチック樹脂と樹脂シートとが一体化された成形品を作製する技術が知られている（例えば、特許文献１参照）。
【先行技術文献】
【特許文献】
【０００５】
【特許文献１】特開２００８−８７２４８号公報
【発明の概要】
【発明が解決しようとする課題】
【０００６】
しかしながら、上述したような従来技術には、以下のような問題が存在する。
溶媒の多くが蒸発するグラビアやオフセット印刷とは異なり、インクジェット記録装置により光硬化型インクを用いて樹脂シートに印刷処理を施した場合、硬化重合したポリマーが残存するため、印刷層に数μｍ以上の厚さが生じる。そのため、印刷層を当接面としてバッカーと称される支持部材に貼り付けたり、型に貼り付けて射出成形を行ったりした場合には、印刷層における凹凸に倣って樹脂シートに凹凸が生じる。
印刷層に形成された画像は樹脂シートを介して視認されるため、樹脂シートの凹凸によって画像の質感が著しく低下するという問題があった。
【０００７】
本発明は、以上のような点を考慮してなされたもので、画像の質感低下を抑制できる印刷方法、印刷装置及び成形印刷物製造方法並びに成形印刷物製造装置を提供することを目的とする。
【課題を解決するための手段】
【０００８】
上記の目的を達成するために本発明は、以下の構成を採用している。
本発明の印刷装置は、後工程で支持部材に貼設される記録媒体に対して相対移動する吐出ヘッドにより液滴を吐出して有色領域に有色部を形成する印刷方法であって、前記記録媒体との同一の相対移動時に、前記有色領域に有色部形成材料を含み活性光線で硬化する第１液体の液滴を吐出するとともに、前記有色領域外に位置する非有色領域に非有色部形成材料を含み前記活性光線で硬化する第２液体の液滴を吐出して、前記有色部と面一の表面を有する非有色部を形成する工程を含むことを特徴とするものである。
【０００９】
従って、本発明の印刷装置では、記録媒体においてパターン等の有色部が形成されない非有色領域に第２液体が吐出されて有色部と面一の表面を有する非有色部が形成されることにより、記録媒体上に平坦化された印刷層が形成されることになる。そのため、後工程で記録媒体を支持部材に貼設した場合でも、記録媒体に凹凸が生じることを防止できる。その結果、本発明では、記録媒体の凹凸による画像の質感低下を抑制することが可能になる。
【００１０】
また、本発明では、前記有色領域に前記第１液体の液滴を吐出した後に、前記非有色領域に前記第２液体の液滴を吐出する手順を好適に採用できる。
これにより、本発明では、第２液体の液滴が有色領域の第１液体に接触して滲んだ場合でも、予め吐出された第１液体で有色部が形成されるため、有色部の輪郭が不明瞭になりづらくなり、画像の質感低下を抑制することが可能になる。
【００１１】
また、本発明では、前記非有色領域に前記第２液体の液滴を吐出した後に、前記有色領域に前記第１液体の液滴を吐出する手順も好適に採用できる。
これにより、本発明では、第２液体で形成された非有色部によって有色部の外形を区画した後に、区画された有色領域に第１液滴を吐出することにより、容易に有色部を形成することが可能になる。
【００１２】
また、本発明では、前記吐出ヘッドの前記相対移動方向の両側に、前記活性光線を照射する照射部を設ける構成を好適に採用できる。
これにより、本発明では、相対移動方向の一方側及び他方側の双方で、記録媒体に吐出した第１液体及び第２液体に活性光線を照射して硬化させることができ、印刷効率を向上させることができる。
【００１３】
また、本発明では、前記有色部及び前記非有色部を前記記録媒体の厚さよりも薄く形成する手順も好適に採用できる。
これにより、本発明では、有色部を有する記録媒体が支持部材に貼設された成形印刷物の薄型化を図ることができる。
【００１４】
また、本発明では、前記吐出ヘッドにおける、前記第２液体の液滴を吐出するノズルの数は、前記第１液体の液滴を吐出するノズルの数以上である構成を好適に採用できる。
これにより、本発明では、有色部の面積が小さく、非有色部の面積が大きい場合であっても効率的に第２液体の液滴を吐出して非有色部を形成することが可能になる。
【００１５】
また、本発明では、前記非有色部を形成するための前記第２液体の吐出に関する情報を、前記有色部を形成するための前記第１液体の吐出に関する情報に基づいて形成する手順を好適に採用できる。
これにより、本発明では、前記第２液体の吐出に関する情報（吐出位置、吐出量等）を容易、且つ正確に形成することが可能になる。
【００１６】
上記構成における前記第２液体における顔料の濃度としては、１％以下である構成を好適に採用できる。
これにより、本発明では、第２液体に顔料が含まれている場合も含めて、非有色部が有色部に対して画像の質感に悪影響を及ぼすことを抑制できる。
【００１７】
上記構成における前記第２液体における顔料の粒径としては、１００ｎｍ以下である構成を好適に採用できる。
これにより、本発明では、第２液体に顔料が含まれている場合でも顔料が光の透過に与える影響が小さいことから、非有色部が有色部に対して画像の質感に悪影響を及ぼすことを抑制できる。また、第２液体が合成樹脂材料のみの場合には、吐出した第２液体の硬化に伴う収縮が大きいが、顔料が含まれているため、第２液体の収縮量を小さくすることができる。
【００１８】
上記構成における前記第２液体の色としては、前記支持部材の色に対して、色差ΔＥ＝２０以下である構成を好適に採用できる。
これにより、本発明では、非有色部が支持部材と一体的に視認され、有色部に対して画像の質感に悪影響を及ぼすことを抑制できる。
【００１９】
そして、本発明の印刷装置は、後工程で支持部材に貼設される記録媒体に対して相対移動する吐出ヘッドにより液滴を吐出して有色領域に有色部を形成する印刷装置であって、前記記録媒体との同一の相対移動時に、前記吐出ヘッドから前記有色領域に有色部形成材料を含み活性光線で硬化する第１液体の液滴を吐出させるとともに、前記有色領域外に位置する非有色領域に非有色部形成材料を含み前記活性光線で硬化する第２液体の液滴を吐出させて、前記有色部と面一の表面を有する非有色部を形成する制御部を備えることを特徴とするものである。
【００２０】
従って、本発明の印刷装置では、記録媒体においてパターン等の有色部が形成されない非有色領域に第２液体が吐出されて有色部と面一の表面を有する非有色部が形成されることにより、記録媒体上に平坦化された印刷層が形成されることになる。そのため、後工程で記録媒体を支持部材に貼設した場合でも、記録媒体に凹凸が生じることを防止できる。その結果、本発明では、記録媒体の凹凸による画像の質感低下を抑制することが可能になる。
【００２１】
上記構成においては、前記制御部が、前記有色領域に前記第１液体の液滴を吐出させた後に、前記非有色領域に前記第２液体の液滴を吐出させる構成を好適に採用できる。
これにより、本発明では、第２液体の液滴が有色領域の第１液体に接触して滲んだ場合でも、予め吐出された第１液体で有色部が形成されるため、有色部の輪郭が不明瞭になりづらくなり、画像の質感低下を抑制することが可能になる。
【００２２】
上記構成においては、前記制御部が、前記非有色領域に前記第２液体の液滴を吐出させた後に、前記有色領域に前記第１液体の液滴を吐出させる構成を好適に採用できる。
これにより、本発明では、第２液体で形成された非有色部によって有色部の外形を区画した後に、区画された有色領域に第１液滴を吐出することにより、容易に有色部を形成することが可能になる。
【００２３】
また、本発明では、前記吐出ヘッドの前記相対移動方向の両側に、前記活性光線を照射する照射部が設けられる構成を好適に採用できる。
これにより、本発明では、相対移動方向の一方側及び他方側の双方で、記録媒体に吐出した第１液体及び第２液体に活性光線を照射して硬化させることができ、印刷効率を向上させることができる。
【００２４】
また、本発明では、前記制御部が、前記有色部及び前記非有色部を前記記録媒体の厚さよりも薄く形成させる構成を好適に採用できる。
これにより、本発明では、有色部を有する記録媒体が支持部材に貼設された成形印刷物の薄型化を図ることができる。
【００２５】
また、本発明では、前記吐出ヘッドに、前記第２液体の液滴を吐出するノズルが、前記第１液体の液滴を吐出するノズルの数以上の数で設けられる構成を好適に採用できる。
これにより、本発明では、有色部の面積が小さく、非有色部の面積が大きい場合であっても効率的に第２液体の液滴を吐出して非有色部を形成することが可能になる。
【００２６】
また、本発明では、前記制御部が、前記非有色部を形成するための前記第２液体の吐出に関する情報を、前記有色部を形成するための前記第１液体の吐出に関する情報に基づいて形成する構成を好適に採用できる。
これにより、本発明では、前記第２液体の吐出に関する情報（吐出位置、吐出量等）を容易、且つ正確に形成することが可能になる。
【００２７】
一方、本発明の成形印刷物製造方法は、記録媒体に活性光線で硬化する液滴を吐出して有色部を形成する印刷工程と、前記有色部が形成された前記記録媒体を支持部材に貼り付けて成形する成形工程とを備える成形印刷物製造方法であって、前記印刷工程では、先に記載の印刷方法を用いることを特徴とするものである。
【００２８】
そして、本発明の成形印刷物製造装置は、記録媒体に活性光線で硬化する液滴を吐出して有色部を形成する印刷装置と、前記有色部が形成された前記記録媒体を支持部材に貼り付けて成形する成形装置とを備える成形印刷物製造装置であって、前記印刷装置として、先に記載の印刷装置が用いられることを特徴とするものである。
【００２９】
従って、本発明の成形印刷物製造方法及び成形印刷物製造装置では、画像の質感低下が抑制された記録媒体を用いることにより、高品質の成形印刷物を製造することが可能になる。
【図面の簡単な説明】
【００３０】
【図１】本発明の実施の形態を示す図であって、印刷装置の概略構成図である。
【図２】キャリッジの概略構成を示す側面図である。
【図３】キャリッジの概略構成を示す底面図である。
【図４】液滴吐出ヘッドの概略構成図である。
【図５】光照射手段の説明図である。
【図６】本発明に係る印刷装置を用いて製造される印刷物の断面図である。
【図７】同印刷物の製造工程を示す図である。
【発明を実施するための形態】
【００３１】
以下、本発明の印刷方法、印刷装置及び成形印刷物製造方法並びに成形印刷物製造装置の実施の形
態を、図１乃至図７を参照して説明する。
なお、以下の実施の実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等を異ならせている。
【００３２】
まず、本発明に係る成形印刷物を製造する際に用いられる印刷物製造装置について説明する。この印刷物製造装置は、プラスチック樹脂シート等の記録媒体に対して着色剤を含む液滴を吐出して加飾シートを作製する、図１に示す印刷装置１、作製された加飾シートを負圧吸引により、後述するバッカー（支持部材）ＢＫ（図６参照）に貼り付けて成形する成形装置（図示せず）を主体に構成されている。
【００３３】
図１は、本発明の印刷装置の概略構成図である。印刷装置１は、例えばポリエチレンテレフタレート（ＰＥＴ）やポリカーボネート（ＰＣ）等のフィルムからなる記録媒体Ｐ上に光硬化型インクを吐出した上で、吐出した光硬化型インクに紫外線等の活性光線による光照射を行って該光硬化型インクを硬化させ、記録媒体Ｐ上に文字・数字や各種の絵柄などを描画するものである。
【００３４】
この印刷装置１は、記録媒体Ｐを載置する基台２と、基台２上の記録媒体Ｐを図１中のＸ方向に搬送する搬送装置３と、光硬化型インクを吐出する液滴吐出ヘッド（図示せず）と、該液滴吐出ヘッドを複数備えてなるキャリッジ４と、このキャリッジ４を、Ｘ方向と直交するＹ方向（相対移動方向）に移動させる送り装置５と、を具備して構成されている。なお、本実施形態では、搬送装置３及び送り装置５により、記録媒体Ｐとキャリッジ４とを、Ｘ方向及びＹ方向にそれぞれ相対移動させる移動装置が構成されている。
【００３５】
搬送装置３は、基台２上に設けられたワークステージ６及びステージ移動装置７を備えて構成されたものである。ワークステージ６は、ステージ移動装置７によって基台２上をＸ方向に移動可能に設けられたもので、製造工程において印刷装置１の上流側に配置された搬送装置（図示せず）から搬送される記録媒体Ｐを、例えば真空吸着機構によってＸＹ平面上に保持するものである。ステージ移動装置７は、ボールネジまたはリニアガイド等の軸受け機構を備えたもので、制御装置（制御部）８から入力される、ワークステージ６のＸ座標を示すステージ位置制御信号に基づいて、ワークステージ６をＸ方向に移動させるよう構成されたものである。
【００３６】
図２及び図３は、キャリッジ４の説明図であり、図２は側断面図、図３は底面図である。図に示すように、キャリッジ４は、送り装置５に移動可能に取り付けられた矩形板状のもので、底面４ａ側に複数（本実施形態では４つ）の液滴吐出ヘッド（吐出ヘッド）９を、Ｙ方向に沿って配列させた状態で保持したものである。
【００３７】
これら複数の液滴吐出ヘッド９（９Ｙ、９Ｃ、９Ｍ、９Ｋ、９Ｗ）は、後述するように多数（複数）のノズルを備えたもので、制御装置８から入力される描画データや駆動制御信号に基づいて、光硬化型インクの液滴を吐出するものである。また、これら液滴吐出ヘッド９（９Ｙ、９Ｃ、９Ｍ、９Ｋ、９Ｗ）は、Ｙ（イエロー）、Ｃ（シアン）、Ｍ（マゼンタ）、Ｋ（黒）に対応した有色部形成材料を含む光硬化型インク（第１液体）、および透明色または白色（Ｗ）の非有色部形成材料を含む光硬化型インク（第２液体）をそれぞれ吐出するものであり、それぞれの液滴吐出ヘッド９には、図１に示すようにキャリッジ４を介してチューブ（配管）１０が連結されている。
【００３８】
Ｙ（イエロー）に対応する液滴吐出ヘッド９Ｙには、チューブ１０を介してＹ（イエロー）用の光硬化型インクを充填・貯蔵した第１タンク１１Ｙが接続されており、これによって液滴吐出ヘッド９Ｙには、この第１タンク１１ＹからＹ（イエロー）用の光硬化型インクが供給されるようになっている。
【００３９】
同様に、Ｃ（シアン）に対応する液滴吐出ヘッド９ＣにはＣ（シアン）用の光硬化型インクを充填した第２タンク１１Ｃ、Ｍ（マゼンタ）に対応する液滴吐出ヘッド９ＭにはＭ（マゼンタ）用の光硬化型インクを充填した第３タンク１１Ｍ、Ｋ（黒）に対応する液滴吐出ヘッド９ＫにはＫ（黒）用の光硬化型インクを充填した第４タンク１１Ｋ、Ｗ（透明または白、ここでは透明とする）に対応する液滴吐出ヘッド９ＷにはＷ（透明）用の光硬化型インクを充填した第５タンク１１Ｗ、がそれぞれ接続されている。このような構成によって各液滴吐出ヘッド９には、対応する光硬化型インクが供給されるようになっている。
【００４０】
これら液滴吐出ヘッド９Ｙ、９Ｃ、９Ｍ、９Ｋ、９Ｗ、チューブ（配管）１０、タンク１１Ｙ、１１Ｃ、１１Ｍ、１１Ｋ、１１Ｗには、各色（Ｙ、Ｃ、Ｍ、Ｋ、Ｗ）の系それぞれに、ヒーター等の加熱手段（図示せず）が設けられている。すなわち、それぞれの色の系では、液滴吐出ヘッド９、チューブ１０、タンク１１のうちの少なくとも一つに、光硬化型インクの粘度を低下させてその流動性を高める加熱手段が設けられており、これによって光硬化型インクは、液滴吐出ヘッド９からの吐出性が良好になるように調整されている。
【００４１】
ここで、光硬化型インクは、例えば紫外線硬化型のインクなど、所定波長の光を受けて硬化するタイプのもので、モノマーと光重合開始剤と各色に対応する顔料とを含有し、さらに必要に応じて、界面活性剤や熱ラジカル重合禁止剤などの各種添加剤が配合されたものである。なお、このような光硬化型インクは、通常はその成分（配合）等によって吸収する光（紫外線）の波長域等が異なることから、硬化する波長の最適値、すなわち最適硬化波長も、インク毎に異なっている。
【００４２】
図４は、液滴吐出ヘッド９の概略構成図である。図４（ａ）は液滴吐出ヘッド９をワークステージ６側から見た平面図、図４（ｂ）は液滴吐出ヘッド９の部分斜視図、図４（ｃ）は液滴吐出ヘッド９の１ノズル分の部分断面図である。
【００４３】
図４（ａ）に示すように、液滴吐出ヘッド９は、複数（例えば１８０個）のノズルＮをＹ方向と交差する方向、本実施形態ではＸ方向に配列しており、これら複数のノズルＮによってノズル列ＮＡを形成している。なお、図では１列分のノズルを示したが、液滴吐出ヘッド９に設けるノズル数及びノズル列数は任意に変更可能であり、例えばＸ方向に配列したノズル列ＮＡをＹ方向に複数列設けてもよい。
【００４４】
本実施形態では、液滴吐出ヘッド９Ｗのノズル数が液滴吐出ヘッド９Ｙ、９Ｃ、９Ｍ、９Ｋのノズル数の総数よりも同数以上に設けられている。
【００４５】
また、図４（ｂ）に示すように、チューブ１０と連結される材料供給孔２０ａが設けられた振動板２０と、ノズルＮが設けられたノズルプレート２１と、振動板２０とノズルプレート２１との間に設けられたリザーバー（液溜まり）２２と、複数の隔壁２３と、複数のキャビティー（液室）２４とを備えて構成されている。ノズルプレート２１の表面（底面）は、複数のノズルＮを形成したノズル面２１ａとなっている。振動板２０上には、各ノズルＮに対応して圧電素子（駆動素子）ＰＺが配置されている。圧電素子ＰＺは、例えばピエゾ素子からなっている。
【００４６】
リザーバー２２には、材料供給孔２０ａを介して供給される光硬化型インクが充填されるようになっている。キャビティー２４は、振動板２０と、ノズルプレート２１と、１対の隔壁２３とによって囲まれるようにして形成されおり、各ノズルＮに対して１対１に対応して設けられている。また、各キャビティー２４には、一対の隔壁２３の間に設けられた供給口２４ａを介して、リザーバー２２から光硬化型インクが導入されるようになっている。
【００４７】
また、図４（ｃ）に示すように、圧電素子ＰＺは、圧電材料２５を一対の電極２６で挟持したもので、一対の電極２６に駆動信号が印加されることにより、圧電材料２５が収縮するように構成されたものである。したがって、このような圧電素子ＰＺが配置されている振動板２０は、圧電素子ＰＺと一体になって同時に外側（キャビティー２４の反対側）へ撓曲するようになっており、これによってキャビティー２４の容積が増大するようになっている。
【００４８】
よって、キャビティー２４内に増大した容積分に相当する光硬化型インクが、液溜まり２２から供給口２４ａを介して流入する。また、このような状態から圧電素子ＰＺへの駆動信号の印加が停止すると、圧電素子ＰＺと振動板２０とは共に元の形状に戻り、キャビティー２４も元の容積に戻る。これにより、キャビティー２４内の光硬化型インクの圧力が上昇し、ノズルＮから記録媒体Ｐに向けて光硬化型インクの液滴Ｌが吐出されるようになっている。
【００４９】
なお、このような構成からなる液滴吐出ヘッド９は、そのノズルプレート２１の底面、すなわちノズルＮの形成面（ノズル面）ＮＳが、図２に示すようにキャリッジ４の底面４ａより下側となるように、該底面４ａから突出して配置されている。
【００５０】
また、キャリッジ４には、図２及び図３に示すように、配列する複数（図では５つ）の液滴吐出ヘッド９を挟んだＹ方向の両側に光照射手段（照射部）１２が隣り合って配置されている。すなわち、光照射手段１２は、Ｙ方向に配列された液滴吐出ヘッド９の配列方向に沿って、その両側にそれぞれ配置されている。
【００５１】
これら光照射手段１２は、光硬化型インクを硬化させるためのもので、本実施形態では多数のＬＥＤ（発光ダイオード）からなっている。ただし、本発明では、光照射手段１２は、光硬化型インクの重合を促進する波長の光を射出可能であればＬＥＤに限定されることなく、これ以外にも例えばレーザーダイオード（ＬＤ）や、さらには水銀灯ランプ、メタルハライドランプ、キセノンランプ、エキシマランプ等を光照射手段１２として用いることができる。例えば、光硬化型インクとして紫外線硬化型のインクを用いる場合には、紫外線を射出する各種光源を用いることができる。
【００５２】
本実施形態のＬＥＤからなる光照射手段１２は、照射する光が、液滴吐出ヘッド９が吐出する光硬化型インクの、最適硬化波長を含む波長帯域を有する光となっている。つまり、前述したように各光硬化型インクは、その成分（配合）等によって最適硬化波長が異なることが想定されるが、上述のような光を照射することにより、各光硬化型インクの最適硬化波長を有した光を照射するようになっている。
【００５３】
図５は、光照射手段１２の説明図である。光照射手段１２にあっては、例えば図５（ａ）に示すような市販のＬＥＤを光源１３ａが用いられるが、図５（ｂ）に示すように、素子胴体側面を長方形や正方形などの多角形に加工した光源１３ｂがより好適に用いられる。すなわち、この光源１３ｂは、図５（ｃ）に示すように縦横に整列させられて、矩形状の大きな一つの光照射源（光照射手段１２）としてキャリッジ４に取り付けられ、用いられる。その際、各光源１３ｂが図５（ｂ）に示したように平面視長方形または正方形などに形成されていることにより、これを縦横に整列させた際に高密度で配置されるようになっている。したがって、形成した光照射源（光照射手段１２）は、その光量が十分に多くなっている。
【００５４】
また、光照射手段１２は、図５（ｃ）に示したように、対応する液滴吐出ヘッド９のノズル列ＮＡの長さに対応して、これとほぼ同じ長さとなるように光源１３ｂを配列して形成されている。そして、これら光源１３ｂは、隣り合う一対の光源１３ｂ間１５が、複数のノズルＮの、隣り合う一対のノズルＮ間１６に対応するようにして、配置されている。
このような構成によって光照射手段１２は、ノズルＮから吐出された光硬化型インクに対して、光源１３ｂからの光を確実に照射できるようになっている。すなわち、光源１３ｂ間１５と対応する位置にノズルＮがある場合に、このノズルＮから吐出されたインクに対して光源１３ｂからの光が十分に照射されない、といった不都合が回避されている。
【００５５】
なお、図５（ｃ）では、ノズルＮと光源１３ｂとが１：１で配置されているように記載しているが、実際にはノズルＮは光源１３ｂに比べて格段に小さく、したがって複数のノズルに対して１つの光源１３ｂが対応するようになっている。その場合にも、前述したように、隣り合う一対の光源１３ｂ間１５が、隣り合う一対のノズルＮ間１６に対応するように構成される。
【００５６】
また、図５（ｃ）では、ノズル列ＮＡに沿う光源１３ｂの列を２列形成しているが、１列でもよく、３列以上でもよいのはもちろんである。さらに、図５（ｃ）では光照射手段１２を単一の光源群として示したが、例えば図３に示したように、複数の光源群によって一つの光照射手段１２を構成するようにしてもよい。
【００５７】
そして、このような光源１３ｂからなる光照射手段１２は、図５（ｂ）に示した光源１３ｂの発光面１４が、図２に示したようにキャリッジ４の底面４ａとほぼ面一になるようにキャリッジ４に取り付けられている。これにより、光照射手段１２はその発光面が、対応する液滴吐出ヘッド９のノズル面より高い位置となっている。したがって、液滴吐出ヘッド９では、光照射手段１２から照射された光がノズルＮに照射され、ノズルＮ内のインクが硬化させられてノズル詰まりを生じる、といった不都合が確実に防止されている。
【００５８】
また、キャリッジ４には、光照射手段１２の近傍に、冷却手段（図示せず）が設けられている。冷却手段は、冷却水を循環させる方式のものや、ペルティエ素子（ペルチェ素子）からなるものなど、公知のものが用いられる。このような冷却手段が光照射手段１２の近傍に配置されることにより、ＬＥＤからなる光源１３ｂ（１３ａ）が自身や周辺の熱によって劣化し、寿命が低下するといったことが抑制され、光照射手段１２の長寿命化が図られる。
【００５９】
図１に戻って、キャリッジ４を移動させる送り装置５は、例えば基台２を跨ぐ橋梁構造をしたもので、Ｙ方向及びＸＹ平面に直交するＺ方向に対して、ボールネジまたはリニアガイド等の軸受け機構を備えたものである。このような構成のもとに送り装置５は、制御装置８から入力される、キャリッジ４のＹ座標及びＺ座標を示すキャリッジ位置制御信号に基づいて、キャリッジ４をＹ方向に移動させるとともに、Ｚ方向にも移動させるようになっている。
【００６０】
制御装置８は、ステージ移動装置７にステージ位置制御信号を出力し、送り装置５にキャリッジ位置制御信号を出力し、さらには液滴吐出ヘッド９の駆動回路基板（図示せず）に描画データ及び駆動制御信号を出力するものである。これによって制御装置８は、記録媒体Ｐとキャリッジ４とを相対移動させるべく、ワークステージ６の移動による記録媒体Ｐの位置決め動作、及びキャリッジ４の移動による液滴吐出ヘッド９の位置決め動作の同期制御を行い、さらに液滴吐出ヘッド９に液滴吐出動作を行わせることにより、記録媒体Ｐ上の所定の位置に光硬化型インクの液滴を配するようになっている。また、この制御装置８は、液滴吐出ヘッド９に液滴吐出動作を行わせるのとは別に、光照射手段１２に光照射動作を行わせるようにもなっている。
印刷装置１は、以上のような構成となっている。
【００６１】
続いて、上記の印刷装置１を用いて製造される印刷物について、図６を参照して説明する。本実施形態では、液滴吐出ヘッド９Ｙ、９Ｃ、９Ｍ、９Ｋから有色材料を含む第１液体を記録媒体Ｐに吐出して、図６（ａ）に示すように、記録媒体Ｐ上の所定の有色領域ＣＡに所定パターンで有色部Ｃ１を形成する場合について説明する。そして、上記の有色部とはならない非有色領域ＣＮに、透明材料またはバッカーＢＫと同色（ここでは白色）となる非有色材料を含む第２液体を吐出して、有色部Ｃ１と面一の表面を有する非有色部Ｃ２を形成するものとする。
【００６２】
図６（ａ）に示すように、印刷物（成形印刷物）１００は、上述した記録媒体Ｐに印刷層４０が形成されてなる加飾シートＤＳが接着層４１を介してバッカーＢＫに貼り付けられて成形されたものである。バッカーＢＫは、ＡＢＳ等の樹脂材で例えば白色に形成されている。そして、印刷装置１を用いて形成した加飾シートＤＳを、図６（ｂ）に示すように、接着層４１を有するバッカーＢＫに対して貼り付けることにより印刷物１００が形成される。
【００６３】
次に、加飾シートＤＳを形成する手順にについて、図７を参照して説明する。
制御装置８は、予め設定されている有色部Ｃ１の位置、膜厚のデータ（ラスターデータ）を用いて、非有色部Ｃ２を形成する位置及び各非有色部Ｃ２に吐出する第２液体の量の印刷データを作成する。
【００６４】
そして、制御装置８は、図７（ａ）及び図７（ｂ）に示すように、印刷装置１の液滴吐出ヘッド９を記録媒体Ｐに対して相対移動させつつ、作成した印刷データに基づいて、例えば、液滴吐出ヘッド９Ｙから第１液体の液滴ＬＹを有色領域ＣＡに吐出させて有色部Ｃ１を形成する。有色領域ＣＡに対する第１液体の吐出が完了すると、制御装置８は、図７（ｃ）に示すように、引き続き液滴吐出ヘッド９Ｗを記録媒体Ｐに対して相対移動させつつ、非有色領域ＣＮに有色部Ｃ１の表面と同一高さとなる量で第２液体の液滴ＬＷを吐出させて非有色部Ｃ２を形成する。
このとき、第２液体を吐出する液滴吐出ヘッド９Ｗのノズル数が、第１液体を吐出するノズル数よりも多いため、非有色部Ｃ２を効率的に形成することができる。
【００６５】
第２液体をバッカーＢＫと同色または近似色とする場合には、バッカーＢＫの色に対して、色差ΔＥ＝２０以下とすることで、非有色部Ｃ２がバッカーＢＫと一体的に視認されやすくなり、非有色部Ｃ２が有色部Ｃ１に対して画像の質感に悪影響を及ぼすことを抑制できる。
【００６６】
そして、有色領域ＣＡへの第１液体の吐出及び非有色領域ＣＮに対する第２液体の吐出が完了すると、相対移動方向の後方側に位置する光照射手段１２により有色部Ｃ１及び非有色部Ｃ２に対して光を照射して硬化させる。
これにより、有色部Ｃ１及び非有色部Ｃ２の表面が面一で平坦化された印刷層４０を有する加飾シートＤＳが形成される。
【００６７】
これら第１液体及び第２液体の記録媒体に対する吐出処理、有色部Ｃ１及び非有色部Ｃ２を硬化させる光照射処理は、液滴吐出ヘッド９（９Ｙ、９Ｗ）が記録媒体Ｐに対する同一の相対移動時に行われる。ここで称される同一の相対移動時とは、液滴吐出ヘッド９（９Ｙ、９Ｗ）が記録媒体Ｐに対して、ワークステージ６の一端側（例えば、＋Ｙ側）を移動開始位置とし、他端側（例えば、−Ｙ側）を移動終了位置としたときに、移動開始位置から移動終了位置まで一回相対移動する間に上記の処理が行われることを示している。
【００６８】
このように形成された加飾シートＤＳは、接着層４１が形成されたバッカーＢＫに対して印刷層４０を対向させた状態で真空吸着により貼り付ける。
このとき、印刷層４０は有色部Ｃ１及び非有色部Ｃ２の表面が平坦化されており、記録媒体ＰとバッカーＢＫとの間に隙間が形成されないため、加飾シートＤＳを真空吸着した場合でも、図６（ａ）に示したように、記録媒体Ｐは凹凸が生じることなく表面を露出させることになる。
【００６９】
以上説明したように、本実施形態では、有色領域ＣＡに対して有色部Ｃ１を形成する際に非有色領域ＣＮに対して非有色部Ｃ２を形成しているため、加飾シートＤＳをバッカーＢＫに貼り合わせた際にも記録媒体Ｐに凹凸が形成されることを回避できる。そのため、本実施形態では、記録媒体Ｐの露出面側から印刷層４０を視認する場合でも、記録媒体Ｐの凹凸に起因する画像の質感低下を抑制できる。
【００７０】
また、本実施形態では、有色領域ＣＡに第１液体を吐出した後に、非有色領域ＣＮに第２液体を吐出しているため、第２液体の液滴が有色領域ＣＡの第１液体に接触して滲んだ場合でも、予め吐出された第１液体で有色部Ｃ１が形成されることから、有色部Ｃ１の輪郭が不明瞭になりづらくなり、画像の質感低下を一層抑制することが可能になる。加えて、本実施形態では、記録媒体Ｐの厚さよりも薄い厚さで印刷層４０を形成しているため、加飾シートＤＳの薄型化を実現でき、結果として印刷物１００の薄型化を図ることができる。
【００７１】
また、本実施形態では、非有色領域ＣＮに非有色部Ｃ２を形成する際の第２液体の吐出に関する情報（吐出位置、吐出量）を有色部Ｃ１を形成する際の第１液体の吐出に関する情報に基づいて形成しているため、第２液体の吐出に関する情報を別途入力する必要がなくなり、非有色部Ｃ２の形成に要する作業時間を低減できる。
【００７２】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００７３】
例えば、上記実施形態では、第２液体が透明、バッカーＢＫと同色あるいは近似色とする構成を例示したが、第２液体に顔料が含まれる場合には、顔料の濃度が１％以下である構成や顔料の粒径が１００ｎｍ以下である構成を採ることが好ましい。
このような構成では、顔料による発色性が極めて低いため、非有色部Ｃ２が有色部Ｃ１に対して画像の質感に悪影響を及ぼすことを抑制できる。
【００７４】
ただし、第２液体に顔料が含まれておらず合成樹脂材料のみで非有色部Ｃ２を形成した場合には、吐出した第２液体の硬化に伴う収縮が大きくなり、有色部Ｃ１の表面との平坦性が損なわれる可能性があるため、顔料を含有させて収縮量を低減させることが好適である。
【００７５】
また、上記実施形態では、有色領域ＣＡに第１液体を吐出した後に、非有色領域ＣＮに第２液体を吐出する構成としたが、これに限定されるものではなく、非有色領域ＣＮに第２液体を吐出した後に、有色領域ＣＡに第１液体を吐出する構成としてもよい。
この場合には、非有色部Ｃ２を区画壁（バンク）として用いることができ、バンクに囲まれた領域に第１液体を吐出することにより、容易に有色部Ｃ１を形成することが可能になる。
【００７６】
また、上記実施形態では、ＵＶインクとして紫外線硬化型インクを用いたが、本発明はこれに限定されず、可視光線、赤外線を硬化光として使用することができる種々の活性光線硬化型インクを用いることができる。
また、光源も同様に、可視光等の活性光を射出する種々の活性光光源を用いること、つまり活性光線照射部を用いることができる。
【００７７】
ここで、本発明において「活性光線」とは、その照射によりインク中において開始種を発生させうるエネルギーを付与することができるものであれば、特に制限はなく、広く、α線、γ線、Ｘ線、紫外線、可視光線、電子線などを包含するものである。中でも、硬化感度及び装置の入手容易性の観点からは、紫外線及び電子線が好ましく、特に紫外線が好ましい。従って、活性光線硬化型インクとしては、本実施形態のように、紫外線を照射することにより硬化可能な紫外線硬化型インクを用いることが好ましい。
【符号の説明】
【００７８】
１…印刷装置、  ８…制御装置（制御部）、  ９…液滴吐出ヘッド（吐出ヘッド）、  １２…光照射手段（照射部）、  １００…印刷物（成形印刷物）、  ＢＫ…バッカー（支持部材）、  Ｃ１…有色部、  Ｃ２…非有色部、  ＣＡ…有色領域、  ＣＮ…非有色領域、  Ｌ…液滴、  Ｎ…ノズル
【図１】
0005796293.tif 000002
【図２】
0005796293.tif 000003
【図３】
0005796293.tif 000004
【図４】
0005796293.tif 000005
【図５】
0005796293.tif 000006
【図６】
0005796293.tif 000007
【図７】
0005796293.tif 000008